(57)【要約】      （修正有）【課題】構造が極めて簡単で、製作にも手間がかからず、グリーン表面における種々の傾斜状態を知ることができるゴルフ用マーカーを提供する。【解決手段】扁平な円筒状の胴部１１に底部１２を有するマーカー本体１と、このマーカー本体１の上部に設けた蓋体２と、前記マーカー本体１内に挿入したボール３とから少なくとも成り、且つ、前記マーカー本体１の底部内面１２１が、平面状あるいは中心に向かって低く傾斜する傾斜面に形成し、傾斜させた傾斜面の傾斜角度が、１〜３度にしたことを特徴とする。  【選択図】図１
0003195807.tif 000002
【実用新案登録請求の範囲】
【請求項１】
扁平な円筒状の胴部（１１）に底部（１２）を設けたマーカー本体（１）と、このマーカー本体（１）の上部に設けた蓋体（２）と、前記マーカー本体（１）内に挿入したボール（３）とから少なくとも成り、且つ、前記マーカー本体（１）の底部内面（１２１）が、平面状あるいは中心に向って低く傾斜する傾斜面に形成したゴルフ用マーカー。
【請求項２】
前記底部内面（１２１）に形成した前記傾斜面の傾斜角度（θ）が、1〜３度である請求項１記載のゴルフ用マーカー。
【請求項３】
前記底部内面（１２１）が、同芯状に複数区画させた円帯状傾斜面（１２１a）,（１２１b）に形成すると共に、それらの傾斜角度（θ1）、（θ２）が、内側の前記円帯状傾斜面（１２１a）の傾斜角度（θ1）よりも外側の前記円帯状傾斜面（１２１b）の傾斜角度（θ２）を大きくさせた請求項１記載のゴルフ用マーカー。
【請求項４】
前記マーカー本体（１）の底部（１２）中央から外方に突出するピン（４）を設けた請求項１、２又は３記載のゴルフ用マーカー。
【考案の詳細な説明】
【技術分野】
【０００１】
本考案は、グリーン表面の傾斜状態を容易に判別できるゴルフ用マーカーに関にする。
【背景技術】
【０００２】
従来、ゴルフ場のグリーン上にあるゴルフボールをパッティングする際に、人の目視でグリーンの傾斜状態を判断してパッティングしていたが、一般の人がグリーンの微妙な傾斜状態を的確に判断することは極めて難しく、特に、目の錯覚で傾斜状態を逆に読み違える場合もしばしばあり、パッティングで苦労する原因ともなっていた。
【０００３】
そこで、グリーン上の傾斜状態を判別できるものとして、特許文献１のものが開示されている。
この特許文献１（特開平１１−３４７１６７号公報）では、この本体部の上端を閉じる蓋体と、本体部と蓋体とにより形成された空間内に気泡が形成されるように充填された比重が０．９以下の液体と、本体部の底面の中心から下方に突設され、先端が尖ったピンとから構成されてなるレベルゲージ付きゴルフ用マーカーが開示されている。
【０００４】
この特許文献１の発明により、気泡の働きによりグリーン表面の傾斜状態を容易に判断できるというものである。
【先行技術文献】
【特許文献】
【０００５】
【特許文献１】特開平１１−３４７１６７号公報
【考案の概要】
【考案が解決しようとする課題】
【０００６】
しかしながら、従来のレベルゲージ付きゴルフ用マーカーに於いては、本体部と蓋体とにより形成された空間内に液体を充填し、しかも、その充填の際に空間内に気泡が形成されるようにするため、充填時に手間を要し、そのための特殊な充填機を用意しなければならず、また、空間内に液体と気泡を封入する関係上、本体部と蓋体との高い密閉性を要し、これを確保するために製作の手間が掛かるという問題点を有していた。
【０００７】
本考案は、上記問題点に鑑み、これを解消するものであり、構造が極めて簡単で、製作にも手間がかからず、グリーン表面における種々の傾斜状態を知ることができるゴルフ用マーカーを提供することを目的する。
【課題を解決するための手段】
【０００８】
本考案は、扁平な円筒状の胴部（１１）に底部（１２）を有するマーカー本体（１）と、このマーカー本体（１）の上部に設けた蓋体（２）と、前記マーカー本体（１）内に挿入したボール（３）とから少なくとも成り、且つ、前記マーカー本体（１）の底部内面（１２１）が、平面状あるいは中心に向かって低く傾斜する傾斜面に形成する。
【０００９】
また、前記底部内面（１２１）に形成した傾斜面の傾斜角度（θ）が、1〜３度であるのがよい。
【００１０】
また、前記底部内面（１２１）を同芯状に複数区画させた円帯状傾斜面（１２１a）,（１２１b）に形成すると共に、それらの傾斜角度（θ1）、（θ２）が、内側の前記円帯状傾斜面（１２１a）よりも外側の前記円帯状傾斜面（１２１b）を大きくさせるのがよい。
【００１１】
また、前記マーカー本体（１）の底部（１２）中央から外方に突出するピン（４）を設けるのがよい。
【考案の効果】
【００１２】
本考案では、扁平な円筒状の胴部（１１）に底部（１２）を有するマーカー本体（１）と、このマーカー本体（１）の上部を設けた蓋体（２）と、前記マーカー本体（１）内に挿入したボール（３）とから少なくとも構成したものであるから、従来のような液体や気泡を封入するために必要な気密性の問題も生じず、製作が簡単で極めて安価にできる。
【００１３】
また、前記マーカー本体（１）の底部内面（１２１）を、その中央に向かって低く傾斜
させた場合には、前記マーカー本体（１）が水平状態では常にボール（３）が底部（１２）中央に位置するため、マーカーをグリーン上で使用した際に、ボール（３）の位置が底部内面（１２１）の中心か又は中心から離れているかで、グリーン上における傾斜状態が的確に判断できる。
つまり、ボール（３）の位置が、底部内面（１２１）の中心にあれば、グリーンが平であることを示し、中心から離れたならばグリーンが傾斜していることを示しているので、それに対応したパッティングをすることが出来る。
【００１４】
更に、前記底部内面（１２１）を同芯状に複数区画させた円帯状傾斜面（１２１a）,（１２１b）に形成すると共に、それらの傾斜角度が、内側の前記円帯状傾斜面（１２１a）よりも外側の前記円帯状傾斜面（１２１b）を大きくさせたことにより、底部内面（１２１）の中央から、マーカー内のボール（３）が移動し止まった各円帯状傾斜面（１２１a）,（１２１b）の位置によって、グリーン上の傾斜方向と共に、その傾斜の度合との両方が判断できる利点を有する。
従って、パターでパッティテングする際、その方向性と打つ強さとがより明確に判断できる。
【図面の簡単な説明】
【００１５】
【図１】本考案の全体を示す断面図である。
【図２】本考案のマーカー本体を示す斜視図である。
【図３】本考案の底部内面の傾斜状態を示す説明図である。
【図４】本考案の底部内面の他の傾斜状態を示す説明図である。
【図５】本考案の使用状態を示す説明図である。
【考案を実施するための形態】
【００１６】
以下、本考案の実施形態につき、図を基に説明する。図１、図２に示すように、（１）はマーカー本体である。
このマーカー本体（１）は、扁平な円筒状の胴部（１１）と底部（１２）とが一体形成され、上部が開口されたものである。
しかも、このマーカー本体（１）の胴部（１１）の上縁部（１１a）には、その内周側に段溝（１１b）を形成し、この段溝（１１b）は、後述する蓋体（２）が嵌入するためのものである。
また、マーカー本体（１）は、金属製、合成樹脂製のものであり、特には、金属製では、ステンレス製、真鍮製、アルミ製等のものが錆難くてよく、合成樹脂製のものでは硬質性のものが耐久性の面で好ましい。
【００１７】
マーカー本体（１）の底部内面（１２１）は、平面状態のも、あるいは中心に向うに従って低く傾斜させた傾斜面に形成させたものであり、図３に示すように、傾斜面に傾斜させた状態の傾斜角度（θ）としては、1〜３度とするのがよい。
【００１８】
更に、図４に示すように、マーカー本体（１）の底部内面（１２１）を同芯状に複数区画させた円帯状傾斜面（１２１a）,（１２１b）に形成すると共に、それらの傾斜角度が、内側の円帯状傾斜面（１２１a）の角度（θ1）よりも外側の円帯状傾斜面（１２１b）の角度（θ２）を大きくして形成させている。
これにより、グリーンの傾斜の度合についても知ることができ、パッテンィグする際の打つ強弱の目安になるのである。
また、内側の円帯状傾斜面（１２１a）の傾斜角度（θ1）は約１〜３度であり、外側の円帯状傾斜面（１２１b）の傾斜角度（θ２）は約３〜６度が目安である。
この円帯状傾斜面（１２１a）,（１２１b）には異なる色彩を施すとよく、これにより、マーカーを上から見た時に、ボール（３）の位置が円帯状傾斜面（１２１a）,（１２１b）の何れにあるかを容易に判別できる。
【００１９】
（２）は円盤状の蓋体であり、この蓋体（２）は透明な合成樹脂製のあるいはガラス製である。
この蓋体（２）は、蓋体（２）がマーカー本体（１）の上縁部（１１a）に設けた前記段溝（１１b）に嵌入した状態で接着させ、これによりマーカー本体（１）上部の開口部を閉鎖し、マーカー本体（１）と蓋体（２）とで囲まれた内部に空間を形成する。
【００２０】
（３）はマーカー本体（１）と蓋体（２）とにより形成された空間内に挿入させたボールであり、このボール（３）は、金属製で、特にはステンレス製、真鍮製のものがよく、このボール（３）の外径は約3〜４ｍｍ程度がよい。
【００２１】
（４）は前記マーカー本体（１）の底部（１２）中央から外方に突出するピンであり、マーカー本体（１）と一体形成させている。
【００２２】
他方、本考案のマーカーにおける外形の寸法は、マーカー本体（１）に蓋体（２）を嵌入した状態において、その上下方向の厚みは約６〜８ミリ程度であり、外径は約２０〜２８ミリ程度である。
【００２３】
次に、本考案のマーカーを使用して、ゴルフ場のグリーンの傾斜状態を判断する方法につき説明する。
先ず、グリーン上のゴルフボールの位置を本考案のマーカーでマークすると、マーカー本体（１）の底部内面（１２１）が平面状のマーカーでは、グリーンの傾斜に沿って、ボール（３）がマーカー本体（１）の胴部（１１）側に移動するため、その移動箇所で傾斜方向が判明できるため、パッティングラインが明確に判る。
【００２４】
また、図３に示すように、マーカー本体（１）の底部内面（１２１）が中心に向かって低く傾斜させた傾斜面を有するマーカーでは、マークした状態でマーカー内のボール（３）が中心に位置していれば、グリーンが平で傾斜してないことを示し、ストレートで打てばよいことが判る。
他方、ボール（３）がマーカーの中心から離れてマーカー本体（１）の胴部（１１）側に移動した場合には、グリーンが平でなく傾斜していることを示し、その傾斜状態はボール（３）の移動した位置によって判別できる。
【００２５】
即ち、図５に示すように、マーカーの中心とグリーンホールとを結ぶ仮想直線（Ａ）に対し、それと直交しマーカーの中心を通る仮想直交線（Ｂ）をイメージして、その仮想直交線（Ｂ）を基準として判断し、マーカー内のボール（３）が仮想直交線（Ｂ）よりもグリーンホール側に位置していれば、パッティングラインが下りの傾斜ラインであることが判る。
また、マーカー内のボール（３）が仮想直交線（Ｂ）よりもグリーンホールと反対側に位置していれば、パッティングラインが上りの傾斜ラインであることが判る。
尚、ボール（３）が仮想直交線（Ｂ）上に位置している場合は、フックやスライスをするかは別としても、グリーンホールに向かって少なくとも平であることを示している。
【００２６】
しかも、右打ちの人で、ボール（３）が仮想直交線（Ｂ）よりもグリーンホール側に位置した状態に於いて、仮想直線（Ａ）よりも右に位置していれば下りのスライスラインであることが判り、仮想直線（Ａ）よりも左に位置していれば下りのフックラインであることが判る。
他方、ボール（３）が仮想直交線（Ｂ）よりもグリーンホールと反対側に位置した状態に於いて、仮想直線（Ａ）よりも右に位置していれば、上りのスライスラインであることが判り、仮想直線（Ａ）よりも左に位置していれば、上りのフックラインであることが判る。
【００２７】
更に、図４に示すように、円帯状傾斜面（１２１a）,（１２１b）を設けたものでは、ボール（３）が各円帯状傾斜面（１２１a）,（１２１b）の位置によってグリーン傾斜の程度も判明できる。
つまり、仮にボール（３）の位置が円帯状傾斜面（１２１b）にあると、円帯状傾斜面（１２１a）の位置よりも更にグリーンの傾斜が大きいことを示している。
例えば、マーカー内のボール（３）が仮想直交線（Ｂ）よりもグリーンホール側に位置した下りのパッティングラインの場合に於いて、ボール（３）が円帯状傾斜面（１２１a）にある時は、グリーンの傾斜が緩やかであり、ある程度強くパッティングする必要のあることが判り、ボール（３）が円帯状傾斜面（１２１b）にある時は、グリーンの傾斜がきつく、軽くパッティングする必要のあることが判るのである。
他方、上りのパッティングラインの場合に於いても、円帯状傾斜面（１２１a）,（１２１b）に対するボール（３）位置の傾斜度合が、前記した下りのパッティングラインの場合と同様な傾向であり、それを基に、今度は上りを加味した傾斜度合でパッティングを行えば良い。
【００２８】
このように、本考案のマーカーはパッティングする際に必要な条件を隈なく判明でき、素人のプレイヤーでもパッティング技術の向上をもたらし、ゴルフのスコアアップが図れる。
【符号の説明】
【００２９】
１  マーカー本体
１１  胴部
１２  底部
１２１  底部内面
１２１a,１２１b  円帯状傾斜面
２  蓋体
３  ボール
４  ピン  
θ  傾斜角度
【図１】
0003195807.tif 000003
【図２】
0003195807.tif 000004
【図４】
0003195807.tif 000005
【図５】
0003195807.tif 000006
【図３】
0003195807.tif 000007